(57)【要約】【課題】表裏に画像が記載されている名刺等の原稿を、複数枚、一度に読取ることができると共に、この原稿の表裏の画像を関連付けすることにより、表裏に画像が記載されている原稿の表裏の画像を、一体で記憶したり表示したりする等の処理をすることが可能な、画像読取装置を提供する。【解決手段】複数の原稿に記載されている画像を一括して読取って全体画像データを形成する画像読取手段１０１と、該全体画像データから、前記原稿毎に独立した個別画像データを形成するマルチクロップスキャン機能を備えると共に、このマルチクロップスキャン機能に基づいて処理を行う個別表画像データ形成手段１０２、及び、個別裏画像データ形成手段１０３と、表裏画像データ関連付手段１０４とを備えて、画像読取装置１００を構成する。【選択図】図１
2009100211.tif 000002
【特許請求の範囲】
【請求項１】
複数の原稿に記載されている画像を一括して読取って全体画像データを形成する画像読取手段と、該全体画像データから、前記原稿毎に独立した個別画像データを形成するマルチクロップスキャン機能とを備えた画像読取装置であって、
表裏に画像が記載された複数の前記原稿で、原稿載置板上に並べて載置された前記原稿の表画像が、前記画像読取手段により読取られて形成された全体表画像データから、前記マルチクロップスキャン機能により、前記原稿毎に独立した個別表画像データを、前記原稿が占める前記原稿載置板上のエリアと対応するエリア情報を付加して形成する個別表画像データ形成手段と、
前記原稿で、最初に載置された前記原稿載置板上の位置と略同じ位置に、該原稿の表裏が反転されて再載置された前記原稿の裏画像が、前記画像読取手段により読取られて形成された全体裏画像データから、前記個別表画像データに付加されている前記エリア情報に基づき、前記マルチクロップスキャン機能により、前記原稿毎に独立した個別裏画像データを形成する個別裏画像データ形成手段と、
前記エリア情報が付加されて前記個別表画像データ形成手段により形成された前記個別表画像データと、該エリア情報に基づき前記個別裏画像データ形成手段により形成された前記個別裏画像データとを、前記原稿毎に関連付けする表裏画像データ関連付手段と、を備えたことを特徴とする画像読取装置。
【請求項２】
請求項１記載の画像読取装置において、
複数の前記原稿は、同一サイズである画像読取装置。
【請求項３】
請求項２記載の画像読取装置において、
複数の前記原稿は、同一サイズの名刺のみ、又は、同一サイズの葉書のみである画像読取装置。
【請求項４】
請求項２又は３記載の画像読取装置において、
前記原稿の原稿サイズを入力するのに用いられる原稿サイズ入力手段を備えていると共に、
前記エリア情報は、位置情報とサイズ情報とで構成されており、
前記原稿の表画像の読取前に、前記原稿の原稿サイズが原稿サイズ入力手段を用いて入力されると共に、
前記個別表画像データ形成手段、及び、前記個別裏画像データ形成手段は、前記エリア情報のサイズ情報に代えて、入力された前記原稿サイズを用いる画像読取装置。
【請求項５】
複数の原稿に記載されている画像を一括して読取って全体画像データを形成する画像読取手段と、該全体画像データから、前記原稿毎に独立した個別画像データを形成するマルチクロップスキャン機能とを備えた画像読取装置における画像読取方法であって、
表裏に画像が記載された複数の前記原稿で、前記画像読取装置の原稿載置板上に並べて載置された前記原稿の表画像が、前記画像読取手段により読取られて形成された全体表画像データから、前記マルチクロップスキャン機能により、前記原稿毎に独立した個別表画像データを、前記原稿が占める前記原稿載置板上のエリアと対応するエリア情報を付加して形成する個別表画像データ形成ステップと、
前記原稿で、最初に載置された前記原稿載置板上の位置と略同じ位置に、該原稿の表裏が反転されて再載置された前記原稿の裏画像が、前記画像読取手段により読取られて形成された全体裏画像データから、前記個別表画像データに付加されている前記エリア情報に基づき、前記マルチクロップスキャン機能により、前記原稿毎に独立した個別裏画像データを形成する個別裏画像データ形成ステップと、
前記エリア情報が付加されて前記個別表画像データ形成手段により形成された前記個別表画像データと、該エリア情報に基づき前記個別裏画像データ形成手段により形成された前記個別裏画像データとを、前記原稿毎に関連付けする表裏画像データ関連付ステップと、を備えることを特徴とする画像読取方法。
【発明の詳細な説明】
【技術分野】
【０００１】
本発明は、プリンタや複写機等に用いられる画像読取装置、及び、画像読取方法に関する。
【背景技術】
【０００２】
今日、複写機能やＦＡＸ機能、印刷機能等を備えたデジタル複合機は、オフィスにおける事務処理に必要不可欠となっている。このデジタル複合機には、原稿に記載されている画像を読取る機能を備えた画像読取装置が用いられている。
【０００３】
この画像読取装置で読取を行う原稿には、１枚の原稿の表裏に記載がなされているものが多く存在しており、原稿が紙等のシート状である場合、原稿読取の際に、この表裏を共に読取ったうえで、記録用紙の表裏に複写するデジタル複合機が開発されている。
【０００４】
又、名刺や葉書等の場合、この名刺や葉書等の表裏の各情報を、パソコン等で一体的に管理するために、画像読取装置で読取った名刺や葉書等の表裏の各情報のような複数の画像を、関連付けて処理する技術も開発されている（例えば、特許文献１参照）。
【０００５】
特許文献１に記載の技術は、画像読取装置で読取られた１枚の名刺等の表裏の各画像を、合わせて１つのデータとする処理に関する技術である。
【特許文献１】特開平７−３０６９２７号公報
【発明の開示】
【発明が解決しようとする課題】
【０００６】
ところで、上記の画像読取装置では、原稿読取用の原稿載置板（プラテンガラス）の大きさは、小型のものでもＡ４サイズの大きさである。そのため、名刺等のサイズの小さい原稿であれば、一度に、複数枚の原稿を原稿載置板に載置することができる。
【０００７】
しかしながら、特許文献１に記載の技術は、一度に１枚の名刺等の表裏の各画像を、合わせて１つのデータとするものである。そこで、この技術では、一度に処理できるのは、１枚の名刺の表裏の各画像等の、１枚の原稿に関する複数の画像である。
【０００８】
そのため、画像読取装置の原稿載置板には、上述したように、複数の枚数の名刺を載置することができるにもかかわらず、特許文献１に記載の技術によれば、一度に１枚しか処理することができない。従って、複数の枚数の名刺等に対しては、１枚ずつ、上記の処理を繰返して行う必要があり、処理を行う手間と時間がかかっていた。
【０００９】
そこで、この発明は、このような状況を改善するためになされたものであって、表裏に画像が記載されている名刺等の原稿を、複数枚、一度に読取ることができると共に、この原稿の表裏の画像を関連付けすることにより、表裏に画像が記載されている原稿の表裏の画像を、一体で記憶したり表示したりする等の処理をすることが可能な、画像読取装置、及び、画像読取方法を提供しようとするものである。
【課題を解決するための手段】
【００１０】
最初に、本発明の画像読取装置について説明する。図１は、本発明の画像読取装置の構成を示したブロック図である。図１において、本発明の画像読取装置１００は、複数の原稿に記載されている画像を一括して読取って全体画像データを形成する画像読取手段１０１と、該全体画像データから、原稿毎に独立した個別画像データを形成するマルチクロップスキャン機能とを備えた画像読取装置である。
【００１１】
上記の画像読取装置１００は、個別表画像データ形成手段１０２、個別裏画像データ形成手段１０３、及び、表裏画像データ関連付手段１０４を備えていることを特徴としている。この内、個別表画像データ形成手段１０２は、表裏に画像が記載された複数の原稿で、画像読取装置１００の原稿載置板上に並べて載置された原稿の表画像が、画像読取手段１０１により読取られて形成された全体表画像データから、マルチクロップスキャン機能により、原稿毎に独立した個別表画像データを、原稿が占める原稿載置板上のエリアと対応するエリア情報を付加して形成する手段である。
【００１２】
又、個別裏画像データ形成手段１０３は、原稿で、最初に載置された原稿載置板上の位置と略同じ位置に、該原稿の表裏が反転されて再載置された原稿の裏画像が、画像読取手段１０１により読取られて形成された全体裏画像データから、個別表画像データに付加されているエリア情報に基づき、マルチクロップスキャン機能により、原稿毎に独立した個別裏画像データを形成する手段である。
【００１３】
そして、表裏画像データ関連付手段１０４は、エリア情報が付加されて個別表画像データ形成手段１０２により形成された個別表画像データと、該エリア情報に基づき個別裏画像データ形成手段１０３により形成された個別裏画像データとを、原稿毎に関連付けする手段である。
【００１４】
上記の画像読取装置１００によれば、表裏に画像が記載された名詞やハガキ等の複数の原稿に対して、表画像、及び、裏画像を、それぞれ、一括して読取って、全体画像データである全体表画像データ、及び、全体裏画像データを形成する。そして、これらの全体表画像データ、及び、全体裏画像データから、原稿毎に独立した個別画像データである個別表画像データ、及び、個別裏画像データを形成する。さらに、これらの個別表画像データと個別裏画像データを、原稿毎に関連付けすることができる。
【００１５】
従って、表裏に画像が記載されている名刺等の原稿を、複数枚、一度に読取ることができると共に、この原稿の表裏の画像を関連付けすることにより、表裏に画像が記載されている原稿の表裏の画像を、一体で記憶したり表示したりする等の処理をすることができる。
【００１６】
上記の画像読取装置１００において、この画像読取装置１００で一度に読取られる名詞やハガキ等の複数の原稿は、全て、同一サイズとするようにしても良い。このようにすることにより、画像読取装置１００における処理を簡素化することができる。この同一サイズの原稿には、具体的に、例えば、上述した名詞、又は、ハガキがある。
【００１７】
又、複数の原稿のサイズを同一サイズとする上記の画像読取装置１００において、次のようにしても良い。即ち、原稿の原稿サイズを入力するのに用いられる原稿サイズ入力手段を備えていると共に、エリア情報を、位置情報とサイズ情報とで構成する。
【００１８】
この画像読取装置１００では、原稿の表画像の読取前に、原稿の原稿サイズが原稿サイズ入力手段を用いて入力されると共に、個別表画像データ形成手段１０２、及び、個別裏画像データ形成手段１０３では、エリア情報のサイズ情報に代えて、入力された原稿サイズが用いられる。このようにすることにより、画像読取装置１００における処理を簡素化することができる。
【００１９】
次に、本発明の画像読取方法について説明する。本発明の画像読取方法は、複数の原稿に記載されている画像を一括して読取って全体画像データを形成する画像読取手段と、該全体画像データから、原稿毎に独立した個別画像データを形成するマルチクロップスキャン機能とを備えた画像読取装置における画像読取方法である。
【００２０】
上記の画像読取方法は、個別表画像データ形成ステップ、個別裏画像データ形成ステップ、及び、表裏画像データ関連付ステップを備えていることを特徴としている。この内、個別表画像データ形成ステップは、表裏に画像が記載された複数の原稿で、画像読取装置の原稿載置板上に並べて載置された原稿の表画像が、画像読取手段により読取られて形成された全体表画像データから、マルチクロップスキャン機能により、原稿毎に独立した個別表画像データを、原稿が占める原稿載置板上のエリアと対応するエリア情報を付加して形成するステップである。
【００２１】
又、個別裏画像データ形成ステップは、原稿で、最初に載置された原稿載置板上の位置と略同じ位置に、該原稿の表裏が反転されて再載置された原稿の裏画像が、画像読取手段により読取られて形成された全体裏画像データから、個別表画像データに付加されているエリア情報に基づき、マルチクロップスキャン機能により、原稿毎に独立した個別裏画像データを形成するステップである。
【００２２】
そして、表裏画像データ関連付ステップは、エリア情報が付加されて個別表画像データ形成手段により形成された個別表画像データと、該エリア情報に基づき個別裏画像データ形成手段により形成された個別裏画像データとを、原稿毎に関連付けするステップである。
【００２３】
上記の画像読取方法は、上述した本発明の画像読取装置１００が有するのと同じ作用、効果を有している。
【発明の効果】
【００２４】
本発明によれば、表裏に画像が記載された名詞やハガキ等の複数の原稿に対して、表面の表画像、及び、裏面の裏画像を、それぞれ、一括して読取って、全体画像データである全体表画像データ、及び、全体裏画像データを形成する。そして、これらの全体表画像データ、及び、全体裏画像データから、原稿毎に独立した個別画像データである個別表画像データ、及び、個別裏画像データを形成する。さらに、これらの個別表画像データと個別裏画像データを、原稿毎に関連付けすることができる。
【００２５】
従って、表裏に画像が記載されている名刺等の原稿を、複数枚、一度に読取ることができると共に、この原稿の表裏の画像を関連付けすることにより、表裏に画像が記載されている原稿の表裏の画像を、一体で記憶したり表示したりする等の処理をすることができる。
【発明を実施するための最良の形態】
【００２６】
次に、本発明の実施の形態における画像読取装置について、本実施の形態における画像読取装置を備えたデジタル複合機を例に、図面を参照しながら説明する。図２は、本実施の形態における画像読取装置を構成要素として用いたデジタル複合機１（以下、本デジタル複合機と称する）の外観図、図３は、本デジタル複合機１の構成を示した構成図である。まず、本デジタル複合機１について説明する。
【００２７】
本デジタル複合機１は、原稿の画像を読取って記録用紙に印刷する複写モード、原稿の画像を読取って送信したり、原稿の画像を受信して記録用紙に印刷したりするファクシミリモード、及び、情報端末装置からネットワークを通じて受信した画像を記録用紙に印刷するプリンタモード等の中から、選択されたモードを行う。
【００２８】
このデジタル複合機１は、図２、図３において、主なる構成要素として、画像読取装置２、画像形成部３、給紙部４、排紙処理装置５、及びＵＳＢインターフェイス７を備えている。画像読取装置２は、上記の本実施の形態における画像読取装置である。
【００２９】
次に、上記の複写モードを例にして、デジタル複合機１の動作を説明する。この複写モードにおいて、複写に用いられる原稿を、画像読取装置２にセットする方法としては、２種類ある。原稿を画像読取装置２の原稿セットトレイ１１にセットする方法と、画像読取装置２の上部筐体を開いて、原稿をプラテンガラス１６上に載置する方法である。
【００３０】
原稿を、画像読取装置２にセットする方法として、原稿を画像読取装置２の原稿セットトレイ１１にセットする方法の場合、まず、原稿を画像読取装置２の原稿セットトレイ１１にセットすると、原稿検知センサ１２が原稿をセットされたことを検出する。そして、デジタル複合機１の操作者が、画像読取装置２の操作パネル１０を操作することにより、印刷用紙のサイズ及び変倍率等が入力設定される。その後、操作パネル１０を操作することにより、複写の開始が指示される。
【００３１】
これらの操作に応答して、画像読取装置２では、ピックアップローラ１３により原稿セットトレイ１１上の各原稿を１枚ずつ引き出し、原稿をサバキ板１４と搬送ローラ１５間を介してプラテンガラス１６へと送り出し、原稿をプラテンガラス１６上で副走査方向に搬送して、原稿排出トレイ１７へと排出する。
【００３２】
このとき、第１読取部２１により、原稿の表面（下側面）が読取られる。即ち、第１読取部２１は、この第１読取部２１の第１走査ユニット２３をポジションに移動して位置決めし、第２走査ユニット２４を所定位置に位置決めしておき、第１走査ユニット２３の露光ランプにより原稿の表面をプラテンガラス１６を介して照射し、原稿の反射光を、第１及び第２走行ユニット２３、２４の各反射ミラーにより結像レンズ２６へと導き、原稿の反射光を結像レンズ２６によりＣＣＤ（Charge  Coupled  Device）２７に集光させ、原稿の表面の画像をＣＣＤ２７上に結像させ、これにより原稿の表面の画像を読取る。
【００３３】
又、第２読取部２２により、原稿の裏面（上側面）が読取られる。この第２読取部２２は、プラテンガラス１６の上方に配置されている。又、この第２読取部２２は、原稿の裏面を照射する露光ランプ（ＬＥＤ（Light Emitting Diode）アレイ、蛍光灯等）、画素毎に、原稿の反射光を集光するセルフォックレンズアレイ、及び、セルフォックレンズアレイを通じて受光した原稿の反射光を光電変換して、アナログの画像信号を出力する密着イメージセンサ（CIS；Contact Image Sensor）等を、備えている。
【００３４】
次に、原稿を、画像読取装置２にセットする方法として、画像読取装置２の上部筐体を開いて、原稿をプラテンガラス１６上に載置する方法の場合、画像読取装置２の上部筐体を開いて、プラテンガラス１６上に原稿を、読取する面を下に向けて載置し、この状態で第１読取部２１により原稿の表面を読取る。この場合は、第１及び第２走査ユニット２３、２４を相互に所定の速度関係を維持しつつ副走査方向に移動させ、第１走査ユニット２３によってプラテンガラス１６上の原稿を露光し、第１及び第２走査ユニット２３、２４によって、原稿からの反射光を結像レンズ２６へと導き、結像レンズ２６によって原稿の画像をＣＣＤ２７上に結像する。
【００３５】
こうして、原稿の片面又は両面が読取られると、原稿の片面又は両面の画像を示す画像データが、記憶部８（図４に示す）に入力され、ここで、ＣＰＵ９（図４に示す）により、画像データに各種の画像処理が施され、この画像データが画像形成部３へと出力される。
【００３６】
画像形成部３は、画像データによって示される原稿の画像を記録用紙に印刷するものであって、感光体ドラム３１、帯電装置３２、レーザスキャンユニット３３、現像装置３４、転写装置３５、クリーニング装置３６、除電装置（図示せず）、及び定着装置３７等を備えている。
【００３７】
又、画像形成部３には、主搬送路３８及び反転搬送路３９が設けられており、給紙部４から給紙された記録用紙が、主搬送路３８に沿って搬送される。給紙部４は、用紙カセット４１に収納された記録用紙、又は、手差トレイ４２に載置された記録用紙を１枚ずつ引き出して、記録用紙を画像形成部３の主搬送路３８へと送り出す。
【００３８】
画像形成部３の主搬送路３８に沿って記録用紙が搬送されている途中で、記録用紙が感光体ドラム３１と転写装置３５との間を通過し、更に定着装置３７を通過して、記録用紙に対する印刷が行われる。感光体ドラム３１は、一方向に回転しており、その表面をクリーニング装置３６と除電装置によりクリーニングされてから、その表面を帯電装置３２により均一に帯電される。レーザスキャンユニット３３は、画像読取装置２からの画像データに基づいてレーザ光を変調し、このレーザ光によって感光体ドラム３１表面を主走査方向に繰り返し走査して、静電潜像を感光体ドラム３１表面に形成する。現像装置３４は、トナーを感光体ドラム３１表面に供給して、静電潜像を現像し、トナー像を感光体ドラム３１表面に形成する。転写装置３５は、該転写装置３５と感光体ドラム３１間を通過して行く記録用紙に感光体ドラム３１表面のトナー像を転写する。定着装置３７は、記録用紙を加熱及び加圧して、記録用紙上のトナー像を定着させる。
【００３９】
主搬送路３８と反転搬送路３９の接続位置には、分岐爪４３が配設されている。記録用紙の片面だけに印刷が行われる場合は、分岐爪４３が位置決めされ、この分岐爪４３により定着装置３７からの記録用紙が排紙トレイ４４又は排紙処理装置５の方へと導かれる。
【００４０】
又、記録用紙の両面に印刷が行われる場合は、分岐爪４３が点線で示す位置に回転移動されて、記録用紙が反転搬送路３９の方へと導かれる。そして、記録用紙は、反転搬送路３９を通過して、その表裏を反転されて主搬送路３８へと再び搬送され、主搬送路３８の再度の搬送途中で、その裏面への印刷が行われて、排紙トレイ４４又は排紙処理装置５の方へと導かれる。
【００４１】
こうして印刷された記録用紙は、排紙トレイ４４又は排紙処理装置５の方へと導かれて、排紙トレイ４４、又は、排紙処理装置５における各排紙トレイ５ａのいずれかに排出される。
【００４２】
排紙処理装置５は、複数の記録用紙を各排紙トレイ５ａに仕分けして排出したり、各記録用紙にパンチング処理を施したり、各記録用紙にステープル処理を施す。例えば、複数部の印刷物を作成する場合は、各排紙トレイ５ａに印刷物の一部ずつが割り当てられる様に、各記録用紙を各排紙トレイ５ａに仕分けして排出し、排紙トレイ５ａ毎に、排紙トレイ５ａ上の各記録用紙に、パンチング処理やステープル処理を施して、印刷物を作成する。
【００４３】
図４は、デジタル複合機１の制御系統を示したブロック図である。図４において、デジタル複合機１の制御系統は、ＣＰＵ９と、このＣＰＵ９から延びている制御ライン９ａに記憶部８、操作パネル１０、画像読取装置２、画像形成部３、給紙部４、排紙処理装置５、及び、通信部６が接続されて構成されている。
【００４４】
ＣＰＵ９は、マイクロプロセッサで構成されており、記憶部８は、ＨＤＤやＲＡＭ等で構成されている。この記憶部８のＨＤＤには、デジタル複合機１を制御するのに必要なＯＳや各種の処理プログラム等のソフトウエアが格納されている。ＣＰＵ２９は、このメモリに搭載されたソフトウエアにより、デジタル複合機１における各種の処理を行う。通信部６は、ＵＳＢインターフェイス７を介して、周辺機器と通信を行う。
【００４５】
操作パネル１０は、操作部１０ａと表示部１０ｂとで構成されている。操作部１０ａは、デジタル複合機１を動作させるのに必要な各種の入力を行うのに用いられる。表示部１０ｂは、デジタル複合機１における各種の表示を行う部分であり、表示装置としては、ＬＣＤ等が用いられる。
【００４６】
画像読取装置２、画像形成部３、給紙部４、及び、排紙処理装置５の動作については、上述した通りであり、これらの動作は、ＣＰＵ９により、上述したＯＳや各種の処理プログラム等のソフトウエアに基づいて制御される。
【００４７】
次に、デジタル複合機１に備えられている画像読取装置２について詳述する。尚、前述した画像読取手段、個別表画像データ形成手段、個別裏画像データ形成手段、及び、表裏画像データ関連付手段は、画像読取装置２を構成する上述した機構や、画像読取装置２を制御するハードウエア、及び、上述したＯＳや各種の処理プログラム等のソフトウエアを用いることで実現される。
【００４８】
この画像読取装置２は、前述したマルチクロップスキャン機能を備えている。マルチクロップスキャン機能とは、画像読取装置２が備えるプラテンガラス１６上に、並べて載置された複数の名詞やハガキ等の複数の原稿に記載されている画像を、一括して読取り、この複数の原稿毎に、独立した画像データを形成する機能である。
【００４９】
従って、画像読取装置２の備えるマルチクロップスキャン機能を使用する場合は、原稿を、画像読取装置２にセットする方法として、上述した画像読取装置２の上部筐体を開いて、原稿をプラテンガラス１６上に載置する方法を用いる。
【００５０】
この画像読取装置２の動作としては、表裏に画像が記載された複数の名詞やハガキ等の原稿の画像を読取って、読取られた表裏の画像を原稿毎に関連付けできる点が、特徴である。
【００５１】
そこで、次に、画像読取装置２におけるこの特徴を備えた動作について説明する。この動作説明では、原稿として、図５に示す名刺、又は、はがき等の、全てが同一のサイズの小型カードであるカードＡ〜カードＤの４枚のカードを例として用いる。又、画像読取装置２は、画像読取モードとして、上述した通常の読取を行う通常モードと、マルチクロップモードを備えているものとする。
【００５２】
図６、及び、図７は、画像読取装置２における上記の特徴を備えた動作、即ち、マルチクロップモードにおける動作による処理を示したフローチャートである。最初に、画像読取装置２の操作者が、デジタル複合機１の操作パネル１０の操作部１０ａを操作して、マルチクロップモードを設定する。このマルチクロップモードの設定が終了すると、操作者は、画像読取装置２のプラテンガラス１６上に、複数の原稿を載置する。そして、画像読取装置２に対して、原稿の表画像の読取指示を行う。
【００５３】
上記の例では、画像読取装置２のプラテンガラス１６上に、図５に示すカードＡ〜カードＤの４枚のカードを全て、カードの表を下に向けて、即ち、図８に示すように、カードの裏を上に向けて載置する。そして、操作パネル１０の操作部１０ａのスタートボタンを押す。
【００５４】
すると、図６、及び、図７において、画像読取装置２の制御を行うＣＰＵ９は、最初に、マルチクロップモードに設定されているか否かをチェックし（Ｓ１）、マルチクロップモードに設定されていると（Ｓ２）、Ｓ３へ進む。
【００５５】
Ｓ３では、原稿の表画像の読取指示の有無をチェックする。具体的には、操作パネル１０の操作部１０ａのスタートボタンが押されたか否かをチェックする。原稿の表画像の読取指示があると（Ｓ４）、ＣＰＵ９は、複数の原稿の表画像の一括読取を画像読取装置２に指示して複数の原稿の表画像の読取を行うと共に、デジタル複合機１の記憶部８のメモリ上に、複数の原稿の表画像を含む全体表画像データを形成する（Ｓ５）。
【００５６】
そして、次に、この全体表画像データを解析して、複数の原稿の表画像を含むこの全体表画像データの中から、１つの原稿の画像を切り出して、独立した１つの個別表画像データとして、デジタル複合機１の記憶部８のメモリ上に形成する（Ｓ６）。この際に、独立した個別表画像データと対応する原稿が占めるプラテンガラス１６上のエリアと対応するエリア情報が、この独立した個別表画像データ付加される（Ｓ６）。
【００５７】
Ｓ６において、複数の原稿の表画像を含む全体表画像データを解析することにより、この全体表画像データから、原稿毎の、独立した個別表画像データを形成する方法は、マルチクロップスキャン機能を実現する技術として知られている公知の技術を使用することにより、実現することができる。
【００５８】
この技術としては、例えば、特開２００２−１００５９号公報（画像処理装置）に記載されている原稿画像の切り出し方法等を用いることができる。又、上記の公報に記載されている方法によれば、プラテンガラス１６上に、原稿が傾いて載置されている場合に、この傾きを修正した個別表画像データを形成することができる。
【００５９】
Ｓ６における、全体表画像データを解析して１つの個別表画像データを形成する処理が終了すると、次に、全ての原稿に対する個別表画像データの形成が完了したか否かをチェックし（Ｓ７）、完了していないと（Ｓ８）、Ｓ６へ戻って、Ｓ６以降の処理を繰返す。完了していると（Ｓ８）、複数の原稿の表画像を含む全体表画像データの解析により、この全体表画像データから原稿毎に独立した個別表画像データを形成する処理が、全て完了したことになる。
【００６０】
上述した、全体表画像データから原稿毎に独立した個別表画像データを形成する処理として、例えば、上記の例では、カードＡ〜カードＤの４枚のカードの表画像を一括して読取って１つの、全体表画像データが形成される。この全体表画像データが解析されることにより、カードＡ〜カードＤに対して、それぞれ、独立した個別表画像データが形成される。そして、これらの個別表画像データ、例えば、カードＡの個別表画像データには、カードＡのエリア情報が、カードＡの個別表画像データに付加される。
【００６１】
又、上記のエリア情報は、例えば、位置情報とサイズ情報とで構成される。サイズ情報は、例えば、上記の解析により得られた原稿のサイズの情報とし、位置情報は、例えば、同じく上記の解析により得られた情報である原稿のサイズの中心座標値、即ち、原稿が占めるプラテンガラス１６上のエリアにおける上記のサイズ情報が示すサイズの中心座標値とする。
【００６２】
Ｓ７における、全ての原稿に対する個別表画像データの形成が完了したか否のチェックで、全ての原稿に対する個別表画像データの形成が完了していると（Ｓ８）、次に、Ｓ９へ進む。Ｓ９では、原稿の裏返し指示を、デジタル複合機１の操作パネル１０の表示部１０ｂに表示する。そして、次に、Ｓ１０へ進む。
【００６３】
Ｓ９における表示部１０ｂへの原稿の裏返し指示の表示により、画像読取装置２の操作者が、画像読取装置２のプラテンガラス１６上に、図７に示すように載置されているカードＡ〜カードＤの４枚のカードを全て、カードの裏を下に向けるように裏返して、即ち、図９に示すように、カードの表を上に向けて再載置する。そして、操作パネル１０の操作部１０ａのスタートボタンを押す。
【００６４】
すると、Ｓ１０では、原稿の裏画像の読取指示の有無をチェックする。具体的には、操作パネル１０の操作部１０ａのスタートボタンが押されたか否かをチェックする。このＳ１０で、原稿の裏画像の読取指示があると（Ｓ１１）、ＣＰＵ９は、複数の原稿の裏画像の一括読取を画像読取装置２に指示して複数の原稿の裏画像の読取を行うと共に、デジタル複合機１の記憶部８のメモリ上に、複数の原稿の裏画像を含む全体裏画像データを形成して（Ｓ１２）、Ｓ１３へ進む。
【００６５】
Ｓ１３では、全体裏画像データを、既に形成されている１つの個別表画像データに付加されているエリア情報に基づいて解析することにより、個別裏画像データを、デジタル複合機１の記憶部８のメモリ上に形成する（Ｓ１３）。
【００６６】
Ｓ１３において、複数の原稿の裏画像を含む全体裏画像データを、既に形成されている１つの個別表画像データに付加されているエリア情報に基づいて解析することにより、個別裏画像データを形成する方法は、上述した個別表画像データの形成におけるのと同様に、マルチクロップスキャン機能を実現する技術として知られている公知の技術を使用することにより、実現することができる。
【００６７】
Ｓ１３における個別裏画像データの形成が終了すると、次に、形成された個別裏画像データと、この個別裏画像データの形成に用いられたエリア情報が付加されている個別表画像データとを一体化して、１つのファイルデータを形成して、Ｓ１５へ進む。
【００６８】
Ｓ１５では、全ての原稿に対する個別裏画像データ、及び、一体化したファイルデータの形成が完了したか否かをチェックし（Ｓ１５）、完了していないと（Ｓ１６）、Ｓ１３へ戻って、Ｓ１３以降の処理を繰返す。完了していると（Ｓ１６）、全ての処理が完了しているので、画像読取装置２のマルチクロップモードにおける処理を終了する。
【００６９】
上述した、複数の原稿の裏画像を含む全体裏画像データから原稿毎に独立した個別裏画像データを形成すると共に、個別裏画像データと個別表画像データとを一体化して、１つのファイルデータを形成する処理として、例えば、上記の例では、まず、カードＡ〜カードＤの４枚のカードの裏画像を一括して読取って１つの全体裏画像データが形成される。
【００７０】
そして、この全体裏画像データに対して、カードＡ〜カードＤの４枚のカードそれぞれに対して、既に形成が終了している個別表画像データに付加されているエリア情報に基づいて、全体裏画像データから個別裏画像データの切り出しが行われる。例えば、カードＡ〜カードＤの４枚のカードの裏画像を含む全体裏画像データを、カードＡの既に形成されている個別表画像データに付加されているエリア情報に基づいて解析することにより、全体裏画像データから、カードＡの個別裏画像データの切り出しが行われる。
【００７１】
そして、その上で、例えば、カードＡの個別裏画像データと、カードＡの個別表画像データとが一体化されて、１つのファイルデータが形成される。同様にして、カードＢ〜カードＤに対しても、１つのファイルデータが形成される。図１０は、このようにして形成されたファイル１〜ファイル４を示したものである。
【００７２】
上記の画像読取装置２のマルチクロップモードにおける処理によれば、表裏に画像が記載された名詞やハガキ等の複数の原稿に対して、表画像、及び、裏画像を、それぞれ、一括して読取って、全体画像データである全体表画像データ、及び、全体裏画像データを形成する。そして、これらの全体表画像データ、及び、全体裏画像データから、原稿毎に独立した個別画像データである個別表画像データ、及び、個別裏画像データを形成する。さらに、これらの個別表画像データと個別裏画像データを一体化して、１つのファイルデータを形成する等の、原稿毎の関連付けをすることができる。
【００７３】
従って、表裏に画像が記載されている名刺等の原稿を、複数枚、一度に読取ることができると共に、この原稿の表裏の画像を関連付けすることにより、表裏に画像が記載されている原稿の表裏の画像を、一体で記憶したり表示したりする等の処理をすることができる。
【００７４】
上記の画像読取装置２のマルチクロップモードにおける処理では、個別表画像データと個別裏画像データとの関連付けを、これらの個別表画像データと個別裏画像データを一体化して、１つのファイルデータを形成することで行っている。しかし、個別表画像データと個別裏画像データとの関連付けの方法は、これには限られず、例えば、個別表画像データと個別裏画像データとを、それぞれ別のファイルとすると共に、表裏管理用のデータを設け、この表裏管理用のデータに、それぞれのファイルの名称やアドレス等の識別情報を記録するようにしてもよい。
【００７５】
又、上記の画像読取装置２のマルチクロップモードにおける処理において、画像読取装置２の操作者によるマルチクロップモードの設定操作の後、画像読取装置２の操作者が、複数の同一サイズの原稿のサイズを、デジタル複合機１の操作パネル１０の操作部１０ａを操作して入力するようにしてもよい。
【００７６】
この場合、図６に示すフローチャートのＳ６において、複数の原稿の表画像を含むこの全体表画像データの中から、１つの個別表画像データを切り出す際のサイズを、上記で入力したサイズを用いると共に、個別表画像データに付加するエリア情報のサイズ情報におけるサイズとして、上記で入力したサイズを用いるようにするのである。
【００７７】
従って、図７に示すフローチャートのＳ１３において、複数の原稿の裏画像を含むこの全体裏画像データの中から、１つの個別裏画像データを切り出す際のサイズを、上記で入力したサイズであるエリア情報のサイズ情報におけるサイズを用いるようにするのである。
【００７８】
このようにすることにより、画像読取装置２のマルチクロップモードにおける処理における処理を簡素化することができる。
【図面の簡単な説明】
【００７９】
【図１】本発明の画像読取装置の構成を示したブロック図である。
【図２】本実施の形態における画像読取装置を用いたデジタル複合機の外観図である。
【図３】本実施の形態における画像読取装置を用いたデジタル複合機の構成図である。
【図４】本実施の形態における画像読取装置を用いたデジタル複合機の制御系統を示したブロック図である。
【図５】本実施の形態における画像読取装置の原稿として用いられるカードの説明図である。
【図６】本実施の形態における画像読取装置のマルチクロップモードにおける処理を示したフローチャート（その１）である。
【図７】本実施の形態における画像読取装置のマルチクロップモードにおける処理を示したフローチャート（その２）である。
【図８】本実施の形態における画像読取装置の原稿として用いられるカードの載置状態を示した説明図（その１）である。
【図９】本実施の形態における画像読取装置の原稿として用いられるカードの載置状態を示した説明図（その２）である。
【図１０】本実施の形態における画像読取装置により形成されるファイルの構成を示した説明図である。
【符号の説明】
【００８０】
１  デジタル複合機
２  画像読取装置
３  画像形成部
４  給紙部
５  排紙処理装置
５ａ  排紙トレイ
６  通信部
７  ＵＳＢインターフェイス
８  記憶部
９  ＣＰＵ
９ａ  制御ライン
１０  操作パネル
１０ａ  操作部
１０ｂ  表示部
１１  原稿セットトレイ
１２  原稿検知センサ
１３  ピックアップローラ
１４  サバキ板
１５  搬送ローラ
１６  プラテンガラス
１７  原稿排出トレイ
２１  第１読取部
２２  第２読取部
２３  第１走査ユニット
２４  第２走査ユニット
２６  結像レンズ
２７  ＣＣＤ
３１  感光体ドラム
３２  帯電装置
３３  レーザスキャンユニット
３４  現像装置
３５  転写装置
３６  クリーニング装置
３７  定着装置
３８  主搬送路
３９  反転搬送路
４１  用紙カセット
４２  手差トレイ
４３  分岐爪
４４  排紙トレイ
１００  画像読取装置
１０１  画像読取手段
１０２  個別表画像データ形成手段
１０３  個別裏画像データ形成手段
１０４  表裏画像データ関連付手段
【図１】
2009100211.tif 000003
【図２】
2009100211.tif 000004
【図３】
2009100211.tif 000005
【図４】
2009100211.tif 000006
【図５】
2009100211.tif 000007
【図６】
2009100211.tif 000008
【図７】
2009100211.tif 000009
【図８】
2009100211.tif 000010
【図９】
2009100211.tif 000011
【図１０】
2009100211.tif 000012